【事件の表示】
　平成８年特許願第２８４３６７号「データ処理装置及び電子部品装着装置」拒絶査定不服審判事件〔平成１０年５月２２日出願公開、特開平１０−１３５６８６〕について、次のとおり審決する。
【結　論】
　本件審判の請求は、成り立たない。
【理　由】
１．手続の経緯・本願発明　
　本願は、平成８年１０月２５日の出願であって、本願の請求項１〜４に係る発明は、平成１５年１２月２２日付けの手続補正書によって補正された明細書の特許請求の範囲の請求項１〜４に記載された事項によって特定されるものであるところ、その請求項１に係る発明は次のとおりのものと認める（請求項１に係る発明を、以下「本願発明」という。）。
　「電子部品の寸法・形状等に関する部品データを処理するデータ処理装置において、前記部品データを記憶する記憶手段と、前記記憶手段に記憶された前記部品データを変更する変更手段と、該変更手段による変更に追従して前記記憶手段に記憶された前記部品データに基づき生成された前記電子部品のグラフィックを表示する表示手段とを設けたことを特徴とするデータ処理装置。」
　
２．引用刊行物およびその記載事項
　これに対して、原査定の拒絶の理由に引用された、本願の出願前に日本国内において頒布された特開平８−２３６９９０号公報（以下、「刊行物１」という。）には「部品データ作成方法」に関して、図１〜７とともに以下の記載がある。
　イ）「【０００１】
【産業上の利用分野】本発明は、電子部品自動実装機において電子部品の寸法や形状などのデータを記憶しておく部品データライブラリを作成する場合に好適に利用できる部品データ作成方法に関するものである。」
　ロ）「【００１０】
【作用】本願の第１発明によれば、画像表示された部品画像上で寸法測定位置を教示するだけで、寸法測定位置間の距離が算出されて高精度の測定ができ、少ない工数にて誤差の小さい部品データを得ることができる。
【００１１】また、第２発明によれば、部品データから部品の形状を示す画像を描画して表示し、対象部品の画像と比較することにより、部品データの正誤の確認、又は対象部品の正誤の確認を容易に行なうことができる。」
　ハ）「【００１３】まず、図３を参照して電子部品自動実装機の概略構成を説明する。図３において、１は操作盤、２は電子部品を吸着して基板上に実装する実装ヘッド、３は電子部品を実装すべき基板を位置決めするＸＹテーブル、４は電子部品を認識する認識カメラ、５は部品供給部、６は制御部、７は画像表示部であり、制御部６内には部品データライブラリが記憶され保持されている。部品データライブラリに保持されている部品データは、例えば図４（ａ）に示すように電子部品８がチップコンデンサの場合、図４（ｂ）に示すように、電子部品８の長さ、幅、及び電極の幅（左右）の寸法等から成っている。」
　ニ）「【００１５】以上のように使用される部品データライブラリの作成方法について、図１を参照しながら説明する。まず、ステップ＃１で部品データを作成すべき電子部品を実装ヘッド２の先端部に吸着し、認識カメラ４にて認識する。次に、ステップ＃２で電子部品の画像を画像表示部７に表示する。・・・次に、ステップ＃３、＃４で操作盤１のキー操作により測定位置教示ポイント１０ａを移動させ、図５に示すように、画像上で測定を行いたい部分の一方の部品端に測定位置教示ポイント１０ａを一致させ、一致するとステップ＃５で位置を決定する。次に、ステップ＃６、＃７で操作盤１のキー操作により他方の測定位置教示ポイント１０ｂを移動させ、画像上で測定を行いたい部分の他方の部品端に測定位置教示ポイント１０ｂを一致させ、一致するとステップ＃８で位置を決定する。測定位置教示ポイント１０ａ、１０ｂの位置が決定すると、ステップ＃９で部品画像９上の教示ポイント１０ａ、１０ｂ間の画像上の長さを算出する。・・・次に、ステップ＃１０で算出された部品寸法を部品データとして部品データライブラリに記憶する。次に、ステップ＃１１で電子部品８の部品データとして必要な寸法についてステップ＃３〜＃１０の動作を繰り返す。次に、ステップ＃１２で全ての電子部品についてステップ＃３〜＃１１の動作を繰り返すことにより、部品データライブラリの作成を終了する。」
　ホ）「【００１７】次に、上述のようにして部品データライブラリが作成された後の部品データライブラリの部品データの確認、及び実装ヘッド２による吸着部品の確認方法について図２を参照しながら説明する。
【００１８】まず、ステップ＃２１で部品データライブラリに記憶、保持されている部品データをもとに、図６に示すように、その輪郭線から成る部品形状を示す画像１１を画像表示部７に描画する。次に、ステップ＃２２で実装ヘッド２にて対象とする電子部品８を吸着して認識カメラ４にて認識し、その部品画像１２を部品形状を示す画像１１と同時に画像表示部７に表示する。次に、ステップ＃２３で電子部品の部品画像１２を操作盤１のキー操作により移動した後、ステップ＃２４で操作者が部品画像１２と部品形状を示す画像１１を比較し、部品の形状や部品各部の寸法が一致しているかどうかを判定する。その結果、一致していれば、ステップ＃２５で部品供給部５に正しい部品がセットされていることが確認され、又は部品データライブラリのデータが正しいことが確認される。一方、一致していなければ、ステップ＃２６で部品供給部５に間違った部品がセットされていることが確認され、又は部品データライブラリのデータが誤っていることが確認される。次に、ステップ＃２７で電子部品の確認を行なった後、処理を終了する。
【００１９】以上のように、部品データから部品形状を示す画像を表示し、対象とする部品の部品画像を表示し、部品の形状を示す画像と部品画像を比較することにより、部品の部品供給部５へのセットの間違いの確認、又は部品データライブラリの正誤の確認を容易に行なうことができる。」
　　
　上記イ）〜ホ）の記載からみて、上記刊行物１の「部品データ作成方法」は、電子部品自動実装機において電子部品の寸法や形状などの部品データを記憶しておく部品データライブラリを作成する方法に関するものであって、該方法に用いられる電子部品自動実装機は、電子部品の寸法・形状等に関する部品データを記憶して保持する制御部６と、前記制御部６に記憶された前記部品データに基づき生成された前記電子部品の部品形状を示す画像１１を表示する画像表示部７とを有して成り、電子部品の寸法・形状等に関する部品データを処理する装置として機能しているものと認められる。
　したがって上記刊行物１には、
「電子部品の寸法・形状等に関する部品データを処理する電子部品自動実装機において、前記部品データを記憶する制御部６と、前記制御部６に記憶された前記部品データに基づき生成された前記電子部品の部品形状を示す画像１１を表示する画像表示部７とを設けた電子部品自動実装機。」の発明（以下、「刊行物１の発明」という。）が記載されているものと認める。
　
３．本願発明と上記刊行物１の発明との対比
　本願発明と上記刊行物１の発明とを対比すれば、上記刊行物１の発明の「電子部品自動実装機」は、電子部品の寸法・形状等に関する部品データを処理する装置として機能しているから本願発明の「データ処理装置」に対応し、以下同様に「制御部６」は「記憶手段」に、「部品形状を示す画像１１」は「グラフィック」に、「画像表示部７」は「表示手段」に、それぞれ対応している。
　したがって本願発明と上記刊行物１の発明は、
　「電子部品の寸法・形状等に関する部品データを処理するデータ処理装置において、前記部品データを記憶する記憶手段と、前記記憶手段に記憶された前記部品データに基づき生成された前記電子部品のグラフィックを表示する表示手段とを設けたデータ処理装置。」
　で一致し、以下の＜相違点＞で相違しているものと認める。
＜相違点＞
　本願発明では、データ処理装置が、記憶手段に記憶された部品データを変更する変更手段を有し、グラフィックを表示する表示手段が、該変更手段による変更に追従して生成されたグラフィックを表示するようにされているのに対し、上記刊行物１の発明では、データ処理装置である電子部品自動実装機が、記憶手段である制御部６に記憶された部品データを変更する変更手段を有しているか否か明らかでなく、それゆえ、グラフィックを表示する表示手段である部品形状を示す画像１１を表示する画像表示部７が、変更に追従して生成された部品形状を示す画像１１を表示するようにされているか否かも明らかでない点。
　
４．相違点の検討
　電子部品の寸法・形状等に関する部品データを処理する装置を、部品データを記憶する記憶手段と、該記憶手段に記憶された部品データを変更する変更手段を有するように構成することは周知技術（例えば、特開平５−３５８２１号公報の【００１８】等の記載を参照。）である。
　してみれば上記刊行物１の発明で、データ処理装置である電子部品自動実装機を、記憶手段である制御部６に記憶された部品データを変更する変更手段を有するように構成することは、上記刊行物１の発明に上記周知技術を適用することにより、当業者が容易に行い得たものである。
　またこの場合、上記刊行物１の画像表示部７は、制御部６に記憶された部品データに基づき生成された電子部品の部品形状を示す画像１１を表示するのであるから、記憶手段に記憶された部品データが変更された場合には、変更に追従して生成された部品形状を示す画像１１を表示することは当然である。
　したがって、上記刊行物１の発明で、データ処理装置である電子部品自動実装機を、記憶手段である制御部６に記憶された部品データを変更する変更手段を有するように構成して、グラフィックを表示する表示手段である部品形状を示す画像１１を表示する画像表示部７を、変更に追従して生成された部品形状を示す画像１１を表示するように構成することは、上記刊行物１の発明に上記周知技術を適用することにより、当業者が容易に行い得たものである。
　
　そして、本願発明が奏する作用効果は、上記刊行物１の発明と上記周知技術に示唆された事項から予測される程度以上のものではない。
　したがって、本願発明は、上記刊行物１の発明と上記周知技術に基づいて当業者が容易に発明をすることができたものである。
　　
５．むすび
　以上詳述したとおり、本願発明は、上記刊行物１の発明と上記周知技術に基づいて当業者が容易に発明をすることができたものであるから、特許法第２９条第２項の規定により特許を受けることができない。
　そして、このような進歩性を有しない発明を包含する本願は、本願の請求項２〜４に係る発明について検討するまでもなく拒絶すべきものである。
　よって、結論のとおり審決する。